(57)【特許請求の範囲】
【請求項１】
記録媒体の使用態様を選択的に切替えるための切替え手段を有する記録媒体装置において、
上記切替え手段は、検出爪を折り取ることで切替え可能な複数の検出爪からなり、第１の検出爪を折り取ると第２の検出爪が折り取りやすくなるように上記検出爪の折り取りに順番が付けられていることを特徴とする記録媒体装置。
【発明の詳細な説明】
【０００１】
【発明の属する技術分野】
本発明は、ビデオテープ等のテープカセットに使用して好適な記録媒体装置に関し、特に記録状態のテープに別の記録情報が誤って上書きされてしまう不都合を防止することができるようにした記録媒体装置に係わるものである。
【０００２】
【従来の技術】
従来、オーディオテープやビデオテープ等のテープカセットには、テープに記録された情報が誤って消去されないようにするための誤消去防止機構が備えられている。この誤消去防止機構としてはカセット筐体内に移動可能にされた誤消去防止プラグによって検出穴を開閉し、記録／再生可能状態と再生動作のみ可能ではあるが記録不能状態（いわゆる消去防止状態）とに選択的に切替え可能にできるようにした機構と、カセット筐体に一体に検出爪を有し、検出爪が存在するときには記録／再生状態となり、検出爪を折り取ると再生可能ではあるが記録不能状態になるようにした機構がある。また、別の誤消去防止機構として本発明の出願人が実公平６−２１１０７号により誤消去防止プラグの一部に設けた検出爪を折り取ることで、誤消去防止プラグの移動位置に関係なく永久に誤消去防止状態にされ、記録内容が誤って消去されないようにしたテープカセット等の誤消去防止機構を提案している。
【０００３】
【発明が解決しようとする課題】
ところで、上述した従来の誤消去防止機構のいずれの場合においても、記録／再生可能状態では既に記録されているテープに上書き記録が可能であった。このことは、記録した内容を確認しようとしてテープを一旦巻き戻して再生して見たとき、巻き戻したことを忘れ巻き戻した部分から既に記録されている部分に記録（上書き記録）を行うことによって、先に記録されている記録内容を消去してしまうといった決定的な不都合があった。
【０００４】
特にこのような問題は例えば液晶モニタが内蔵されたビデオカメラにおいて、撮影後に簡単に液晶モニタで映像の一部を再生して見ることが可能になったため上述したような問題が発生するようになったものである。
【０００５】
本発明は、上述したような課題を解消するためになされたもので、切替えプラグのスライド動作によって情報が記録されている記録媒体には上書き記録されないようにする記録媒体装置を得ることを目的とする。
【０００６】
また、複数の検出爪を折り取ることで使用態様が切替え可能にし、検出爪が折り取りやすくなるように検出爪の折り取りに順番を付けるようにした記録媒体装置を得ることを目的とする。
【０００７】
【課題を解決するための手段】
上述目的を達成するため、本発明による記録媒体装置は、記録媒体の使用態様を選択的に切替えるための切替え手段を有する記録媒体装置において、切替え手段は検出爪を折り取ることで切替え可能な複数の検出爪からなり、第１の検出爪を折り取ると第２の検出爪が折り取りやすくなるように検出爪の折り取りに順番が付けられていることを特徴とする。
【０００８】
このように構成したことで、検出爪の折り取りの順番が間違えることもなく、記録媒体装置の使用態様の操作手順を正確に行うことができる。
【００１１】
【発明の実施の形態】
以下、本発明による記録媒体装置をその使用態様の切替え手段である誤消去防止機構を備えたビデオテープカセットに適用した例をとって図面を参照して説明する。
【００１２】
図１はビデオテープカセットを背面側から底面を見た斜視図である。
全体を符号１で示したカセット筐体は上ハーフ２と下ハーフ３とが合体式に構成されている。カセット筐体１内には図示しない磁気テープが巻回される２つのテープリール４，５が収容され、下ハーフ３のの底面に形成したリール開口部３ａ，３ｂに回転可能にされている。６はカセット筐体１の前面側に開閉可能に設けられているリッドである。
【００１３】
さて、上ハーフ２の背面側の一側方には誤消去防止機構７が設けられている。この誤消去防止機構７は上ハーフ２の背面に開口された操作窓部８と、この操作窓部８に支持されてスライド移動する誤消去防止プラグ９と、下ハーフ３の底面に開口され誤消去防止プラグ９のスライド動作により選択的に開閉される２つの検出穴１０，１１と、図示しない記録再生装置に設けられ検出穴１０，１１の開閉状態に応じてオン，オフ動作する検出ピン１２，１３から構成されている。
【００１４】
誤消去防止プラグ９は図２に示すように全体が板状に形成された部分に指掛け片１４を有すると共に、一体に下方へ延出するＬ字状の閉塞片１５を備えている。
【００１５】
上述した誤消去防止プラグ９は指掛け片１４を操作窓部８にスライド可能に臨ませ、操作窓部８の両端部と中間部にそれぞれ形成した３つの凹み部８ａ,８ｂ,８ｃ      に当該指掛け片１４の端部が選択的に係合されて位置決めされるようになっている。ここで、指掛け片１４が操作窓部８の凹み部８ａに位置決めされているときは、閉塞片１５が検出穴１０を閉塞し、指掛け片１４が凹み部８ｂに位置決めされているときは閉塞片１５が検出穴１１を閉塞し、指掛け片１４が凹み部８ｃに位置決めされているときは両検出孔１０,１１が開放されるようになっている。
【００１６】
さらに誤消去防止機構７の詳細を図３〜図５を参照して説明する。
誤消去防止プラグ９の指掛け片１４が操作窓部８の一端側の凹み部８ａに位置決めされている図３に示した位置は、ＲＥＣ（記録可能状態）ポジションであって、このとき、検出穴１０は誤消去防止プラグ９の閉塞片１５で閉塞され、検出穴１１は開放されている。従って、検出穴１０に対応している検出ピン１２がオン動作し、検出穴１１に対応している検出ピン１３がオフ状態となることでＲＥＣポジションを電気的に検出している。つまり、ＲＥＣポジションによってカセットにはバージンテープへのＷＲＩＴＥ  ＯＮＣＥ（初期記録）と再生動作あるいは既に記録状態にあるテープに上書き記録が可能な状態となる。
【００１７】
また、誤消去防止プラグ９の指掛け片１４が操作窓部８の中間部の凹み部８ｂに位置決めされている図４に示した位置はＳＡＶＥ（誤消去防止状態）ポジションであって、このとき、検出穴１０は開放され、検出穴１１が閉塞片１５で閉塞されている。この場合は検出穴１０に対応している検出ピン１２はオフ状態となり、検出穴１１に対応している検出ピン１３はオン動作となることでＳＡＶＥポジションを電気的に検出している。つまり、ＳＡＶＥポジションによってカセットは誤消去防止状態となり、再生動作は可能であるがバージンテープへのＷＲＩＴＥ  ＯＮＣＥ及び既に記録状態にあるテープへの上書き記録はできない。
【００１８】
さらに、誤消去防止プラグ９の指掛け片１４が操作窓部８の他端側の凹み部８ｃに位置決めされている図５に示した位置は、ＷＲＩＴＥ  ＯＮＣＥポジションであって、このとき、検出穴１０，１１は共に開放されている。従って、両検出ピン１２，１３はオフ状態となることでＷＲＩＴＥ  ＯＮＣＥポジションを電気的に検出している。このＷＲＩＴＥ  ＯＮＣＥポジションではバージンテープへのＷＲＩＴＥ  ＯＮＣＥは可能であるが、既に記録状態にあるテープへの上書き記録はできないようになっている。
【００１９】
すなわち、ビデオカメラによる撮影中にはテープカセットの誤消去防止プラグ９をＷＲＩＴＥ  ＯＮＣＥポジションにセットした状態で使用すれば、記録した内容を確認しようとしてテープを一旦巻き戻して再生して見たとき、巻き戻したことを忘れ巻き戻した部分から撮影を開始したとしても、テープに何か記録されている場合には例えば警告音を出して記録が開始できないようにし、テープに何も記録されていない場合には記録を開始することができる。
【００２０】
尚、図６に本発明によるプラグ方式の誤消去防止機構と従来の誤消去防止機構との機能の比較図を示す。
【００２１】
ここで、テープが記録状態であるか未記録状態であるかの検出は、例えばテープ走行中のテープを磁気抵抗ヘッド（ＭＲヘッド）等で検出することができる。磁気抵抗ヘッドの検出位置としてはテープ供給側の走行するテープ部分に独立に配置したり、テープガイドに備える方法、あるいは回転ヘッドドラムに備えることで検出することができる。また、テープが記録状態であるか未記録状態であるかの検出は磁気抵抗ヘッド以外の検出手段を利用することであってもよい。
【００２２】
図７は切替え手段である誤消去防止機構が折り取り爪方式である検出爪を有するＶＨＳ用テープカセットに適用した例である。
【００２３】
全体を符号２０で示したカセット筐体は上ハーフ２１と下ハーフ２２とが合体式に構成され、カセット筐体２０の前面側に開閉可能のリッド２３が設けられている。
【００２４】
下ハーフ２２の背面側の一側方には折り取り爪式の誤消去防止機構２４が設けられている。この誤消去防止機構２４は下辺のみが下ハーフ２２に一体に連接され、これ以外の３辺が切り離された第１の検出爪２５と、この第１の検出爪２５の側部に隣接され当該検出爪２５とは反対側の側辺のみが下ハーフ２２と一体に連接され、これ以外の３辺が切り離された第２の検出爪２６と、図示しない記録再生装置に設けられ第１及び第２の検出爪２５，２６の開閉状態に応じてオン，オフ動作する検出ピン２７，２８から構成されている。
【００２５】
第１及び第２の検出爪２５，２６の折り取りには順番が付けられ、先に第１の検出爪１５が折り取られたあと第２の検出爪２６が折り取られる。
【００２６】
上述した誤消去防止機構２４の詳細を図７〜図８を参照して説明する。
図７に示すように第１及び第２の検出爪２５,２６が共に存在する場合は、ＲＥＣ（記録可能）状態であって、従って、両検出ピン２７,２８はオン動作し、ＲＥＣ可能状態であることを電気的に検出している。つまり、ＲＥＣ可能状態によってカセットにはバージンテープへのＷＲＩＴＥ  ＯＮＣＥと再生動作あるいは既に記録状態にあるテープに上書き記録が可能な状態となる。
【００２７】
また、図８Ａに示すように第１の検出爪２５を折り取った場合ではＷＲＩＴＥＯＮＣＥ（初期記録）可能状態であって、これによって、折り取られた第１の検出爪２５の部分対応する一方の検出ピン２７はオフ動作し、第２の検出爪２６に対応する検出ピン２８がオン動作し、ＷＲＩＴＥ  ＯＮＣＥ可能状態であることを電気的に検出している。つまり、このＷＲＩＴＥ  ＯＮＣＥ可能状態ではバージンテーブへのＷＲＩＴＥ  ＯＮＣＥは可能であるが、既に記録状態にあるテープへの上書き記録はできないようになっている。
【００２８】
さらに、図８Ｂに示すように第１及び第２の検出爪２５，２６が折り取られた場合ではＳＡＶＥ（誤消去防止）状態であって、これによって、両検出ピン２７，２８はオフ動作し、ＳＡＶＥ状態であることを電気的に検出している。つまり、ＳＡＶＥ状態によってカセットは誤消去防止状態となり、再生動作は可能であるがバージンテープへのＷＲＩＴＥ  ＯＮＣＥ及び既に記録状態にあるテープへの上書き記録はできない。
【００２９】
すなわち、ビデオカメラによる撮影中にはテープカセットの第１の検出爪２５を折り取ってＷＲＩＴＥ  ＯＮＣＥにした状態で使用すれば、記録した内容を確認しようとしてテープを一旦巻き戻して再生して見たとき、巻き戻したことを忘れ巻き戻した部分から撮影を開始したとしても、テープに何か記録されている場合には例えば警告音を出して記録が開始できないようにし、テープに何も記録されていない場合には記録を開始することができる。
【００３０】
また、折り取り爪方式の場合は第１の検出爪２５の折り取りは、一般に切り離されているハーフとの隙間に工具等を差し込んで折り取るものであるが、第１の検出爪２５を折り取ったあとは、折り取った後に生じる開口部２５ａに指を差し込むことができ、これによって、第２の検出爪２６を工具なしで容易に折り取ることができる。
【００３１】
尚、第１の検出爪２５の折り取りを容易にするため、ここでは図示しないが検出爪２５の上辺側に隣接する上ハーフ２に切欠いた開口部を形成することで、この開口部に指を挿入することで工具なしで第１の検出爪を容易に折り取ることが可能である。
【００３２】
一方、折り取り爪方式の誤消去防止機構は上書き防止機能以外にも広く適用可能である。
【００３３】
例えば、記録再生装置を使用したアフレコ（アフター・レコーディング）において、ＶＨＳ方式では固定ヘッドによりいったん映像と音声を記録し、後から音声のみをアフレコすることが可能であり、また、８ミリビデオの場合でも後からＰＣＭ音声記録を追加したり入れ換えたりしてアフレコすることができる。このようなアフレコにおいては、記録再生装置のアフレコボタンを操作して音声を入れ換えることになるが、実際には間違って映像を消してしまわないかといった不安がある。
【００３４】
このようなとき、図８Ａのように第１の検出爪２５を折り取った場合では「映像消去不可、音声記録可能」状態とし、第２の検出爪２６も折り取られた場合に「映像及び音声消去不可」状態とすれば、操作手順を間違えることなく確実に編集作業を行うことができるといった利点がある。
【００３５】
本発明は、上述しかつ図面に示した実施例に限定されるものでなく、その要旨を逸脱しない範囲内で種々の変形実施が可能である。
【００３６】
実施例では誤消去防止機構がプラグ方式及び折り取り爪方式が３段階に切り替え式の場合について説明したが、その他、記録媒体装置の使用態様を３段階以上に切り替えることができる場合にも適用可能である。
【００３７】
また、本発明の記録媒体装置は誤消去防止機構がプラグ方式を採用している８ミリビデオ用のテープカセットやデジタルビデオカセットあるいはディスクカートリッジに広く適用可能である。また、誤消去防止機構が折り取り爪方式を採用しているＶＨＳ方式やベータマックス方式のビデオカセットやオーディオ用のコンパクトカセットにも広く適用可能である。
【００３８】
【発明の効果】
以上説明したように本発明の記録媒体装置は、記録媒体の使用態様を選択的に切替えるための切替え手段を有する記録媒体装置において、切替え手段は検出爪を折り取ることで切替え可能な複数の検出爪からなり、第１の検出爪を折り取ると第２の検出爪が折り取りやすくなるように検出爪の折り取りに順番が付けられていることによって、検出爪の折り取りの順番が間違えることもなく、記録媒体装置の使用態様の操作手順を正確に行うことができるといった効果がある。
【図面の簡単な説明】
【図１】本発明による上書き防止の誤消去防止機構がプラグ方式の場合のテープカセットの斜視図である。
【図２】誤消去防止プラグの斜視図である。
【図３】誤消去防止機構がＲＥＣポジションの説明図である。
【図４】同じくＳＡＶＥポジションの説明図である。
【図５】同じくＷＲＩＴＥ  ＯＮＣＥポジションの説明図である。
【図６】本発明と従来の誤消去防止機構の機能の比較図である。
【図７】上書き防止の誤消去防止機構が折り取り爪方式の場合のＲＥＣ可能状態であるテープカセットの斜視図である。
【図８】Ａ、同じくＷＲＩＴＥ  ＯＮＣＥ状態の説明図である。
Ｂ、同じくＳＡＶＥ状態の説明図である。
【符号の説明】
１  カセット筐体、２  上ハーフ、３  下ハーフ、７  誤消去防止機構、８  操作窓部、９  誤消去防止プラグ、１０，１１  検出穴、１２，１３  検出ピン、１５  閉塞片、２４  誤消去防止機構、２５，２６  誤消去防止爪、２７，２８  検出ピン
【図１】
0003552424.tif 000002
【図２】
0003552424.tif 000003
【図３】
0003552424.tif 000004
【図４】
0003552424.tif 000005
【図５】
0003552424.tif 000006
【図６】
0003552424.tif 000007
【図７】
0003552424.tif 000008
【図８】
0003552424.tif 000009